(57)【要約】【課題】  装着時に活動状態でも違和感や不快感の少ない、快適性に優れた、吸収性物品を提供する。【解決手段】  体液透過性のトップシート２０と体液不透過性のバックシート２１と、これらの間に配置され体液透過性のトップシート２０を介して体液を吸収する吸収体３０と、を具備した吸収性物品１である。そして、吸収体３０の一端に隣接するとともに吸収性物品１の長手方向の一端の領域に配置された第１トウからなる繊維集合体４０と、吸収体３０の他端に隣接するとともに吸収性物品１の長手方向の他端の領域に配置された第２トウからなる繊維集合体４１とを備える。第１トウからなる繊維集合体４０の厚さ、及び第２トウからなる繊維集合体４１の厚さが、吸収体３０の厚さの８０〜１２０％である。【選択図】図２
2020116328.tif 000002
【特許請求の範囲】
【請求項１】
体液透過性のトップシートと体液不透過性のバックシートと、これらの間に配置され前記体液透過性のトップシートを介して体液を吸収する吸収体と、を具備した吸収性物品において、
前記吸収体の一端に隣接するとともに前記吸収性物品の長手方向の一端の領域に配置された第１トウからなる繊維集合体と、前記吸収体の他端に隣接するとともに前記吸収性物品の長手方向の他端の領域に配置された第２トウからなる繊維集合体とを備え、
前記第１トウからなる繊維集合体の厚さ、及び前記第２トウからなる繊維集合体の厚さが、前記吸収体の厚さの８０〜１２０％であることを特徴とする吸収性物品。
【請求項２】
前記吸収性物品は、長さが１００〜６００mm、幅が３０〜１５０mmであることを特徴とする請求項１に記載の吸収性物品。
【請求項３】
前記第１トウからなる繊維集合体及び前記第２トウからなる繊維集合体は、無荷重での厚さが１〜１０ｍｍであることを特徴とする請求項１又は２に記載の吸収性物品。
【請求項４】
前記第１トウからなる繊維集合体及び前記第２トウからなる繊維集合体は、非親水性であることを特徴とする請求項１から３のいずれか１項に記載の吸収性物品。
【発明の詳細な説明】
【技術分野】
【０００１】
本開示は、吸収性物品に関する。
【背景技術】
【０００２】
吸収性物品等においては、一般的に肌側から順に体液透過性のトップシート、吸収体、体液不透過性のバックシートという層構造になっている。また、特に少量の尿漏れ吸収に対応した吸収性物品等は、着用時の長手方向前後端は熱エンボスによって体液透過性のトップシートと体液不透過性のバックシートとが接合されている。そして、吸収性物品等の着用者は健常者と同様に活動し、歩行や外出をする機会も多いものである。
【０００３】
特許文献１には、吸収性物品等において、着用時の長手方向前後縁部とエンドシール部の間の領域に体液透過性のトップシートと体液不透過性のバックシートとが接合されていない非シール領域を設ける技術が開示されている。また、特許文献２には、吸収性物品等において、接合領域に複数の形状が異なる圧着部を一定の間隔で配置する技術が開示されている。
【先行技術文献】
【特許文献】
【０００４】
【特許文献１】特開２００６−３２０４４３号公報
【特許文献２】特開２００８−２９５６４５号公報
【発明の概要】
【発明が解決しようとする課題】
【０００５】
吸収性物品等の着用者は健常者と同様に活動し、歩行や外出をする機会も多い。しかし、吸収性物品等は着用時の長手方向前後端の熱エンボスによって表面材と防水材が接合された領域は、剛性が低く、柔軟性はあるが折れたりめくれたりすることも多い為、着用者に違和感や不快感を与えることがある。また、特許文献１、特許文献２の発明も、吸収性物品は、着用者に違和感や不快感を与えることが解決できていないという問題があった。
【０００６】
本発明は、以上の課題に鑑み、着用時の吸収性物品等の長手方向前後端領域の体液透過性のトップシートと体液不透過性のバックシートの間にトウからなる繊維集合体を備え、装着時に活動状態でも違和感や不快感の少ない、快適性に優れた、吸収性物品等を提供することを目的とする。
【課題を解決するための手段】
【０００７】
１つの側面では、体液透過性のトップシートと体液不透過性のバックシートと、これらの間に配置され前記体液透過性のトップシートを介して体液を吸収する吸収体と、を具備した吸収性物品において、前記吸収体の一端に隣接するとともに前記吸収性物品の長手方向の一端の領域に配置された第１トウからなる繊維集合体と、前記吸収体の他端に隣接するとともに前記吸収性物品の長手方向の他端の領域に配置された第２トウからなる繊維集合体とを備え、前記第１トウからなる繊維集合体の厚さ、及び前記第２トウからなる繊維集合体の厚さが、前記吸収体の厚さの８０〜１２０％であることを特徴とする吸収性物品。
【０００８】
これにより、吸収性物品の長手方向の一端、他端の領域の体液透過性のトップシートと体液不透過性のバックシートの間に第１トウからなる繊維集合体、及び第２トウからなる繊維集合体を備え、装着時に活動状態でも違和感や不快感の少ない、快適性に優れた、吸収性物品を提供することができる。
【０００９】
さらに、吸収性物品の一端、他端の領域の第１トウからなる繊維集合体、及び第２トウからなる繊維集合体の厚さが、隣接する領域の吸収体の厚さの８０〜１２０％であるので、吸収体と第１トウからなる繊維集合体、及び第２トウからなる繊維集合体の段差が小さくなり装着者の違和感を小さくできる。さらに、段差が小さいので、吸収体に溜まった体液が第１トウからなる繊維集合体、及び第２トウからなる繊維集合体にせき止められるので体液の浸水を防ぐことができる。
【００１０】
好ましくは、前記吸収性物品は、長さが１００〜６００mm、幅が３０〜１５０mmであることを特徴とする上記に記載の吸収性物品である。
【００１１】
これにより、体液を最低限吸収できるとともに大きすぎることによる違和感や快適性の低下を防ぐことができる。
【００１２】
好ましくは、前記第１トウからなる繊維集合体及び前記第２トウからなる繊維集合体は、無荷重での厚さが１〜１０ｍｍであることを特徴とする上記に記載の吸収性物品である。
【００１３】
これにより、第１トウからなる繊維集合体、及び第２トウからなる繊維集合体の厚さが薄いと、弾性が小さくなり装着者に違和感を与えるようになる。一方、トウからなる繊維集合体の厚さが厚いと、剛性が高くなり、装着者に違和感を与えるようになる。第１トウからなる繊維集合体及び第２トウからなる繊維集合体は、無荷重での厚さが１〜１０ｍｍであるので違和感が緩和できる。
【００１４】
好ましくは、前記第１トウからなる繊維集合体及び前記第２トウからなる繊維集合体は、非親水性であることを特徴とする上記に記載の吸収性物品である。
【００１５】
これにより、吸収体に溜まった体液が非親水性の第１トウからなる繊維集合体、及び第２トウからなる繊維集合体にせき止められるので体液の浸水を防ぐことができる。換言すれば、体液は吸収体に留まるものである。
【発明の効果】
【００１６】
１つの側面では、着装時に活動状態でも違和感や不快感の少ない、快適性に優れた、着用感の良好な吸収性物品等を提供することが可能となる。
【図面の簡単な説明】
【００１７】
【図１】本実施形態に係る吸収性物品を体液透過性のトップシート側から見た平面図である。
【図２】図１のラインＸ１−Ｘ１に沿った吸収性物品の概略的な断面図である。
【発明を実施するための形態】
【００１８】
以下に、実施形態について詳細に説明するが、これらは例示の目的で掲げたものでこれらにより本発明を限定するものではない。
【００１９】
なお、実施形態の説明の全体を通して同じ要素には同じ符号を付している。また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｘで示す方向である。また、吸収性物品１の幅方向とは、長手方向に対して横又は直交する方向であり、図中、符号Ｙで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１としては、ベビー用又は成人用を問わず、軽失禁パッド、パンツ型紙おむつ、テープ止め紙おむつが例示されるが、これに限定されるものではなく、その他の吸収性物品であってもよい。
【００２０】
［吸収性物品］
図１は、本実施形態に係る吸収性物品１を体液透過性のトップシート２０側から見た平面図である。図２は、図１の長手方向のラインＸ１−Ｘ１に沿った吸収性物品１の概略的な断面図である。
【００２１】
図１、図２に示すように、吸収性物品１は、肌当接面側に配された体液透過性のトップシート２０と、体液透過性のトップシート２０に対向して非肌当接面側に配置された体液不透過性のバックシート２１（図２参照）と、体液透過性のトップシート２０と体液不透過性のバックシート２１（図１では見えず）との間に配置された吸収体３０とを備える。吸収性物品１の両端の領域（長手方向の一端の領域、長手方向の他端の領域）には、体液透過性のトップシート２０側から見て長手方向の左側に第１トウからなる繊維集合体４０を備え、体液透過性のトップシート２０側から見て長手方向の右側に第２トウからなる繊維集合体４１を備えている。第１トウからなる繊維集合体４０と第２トウからなる繊維集合体４１とは体液透過性のトップシート２０と体液不透過性のバックシート２１の間に配置されている。本発明の吸収性物品１の詳細は後述する。
【００２２】
＜体液透過性のトップシート＞
体液透過性のトップシート２０は、体液が吸収体３０へと移動するような体液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、体液透過性のトップシート２０には、体液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２０には、ローション、酸化防止剤、抗炎症成分、ｐＨ調整剤、抗菌剤、保湿剤等を含有させてもよい。
【００２３】
強度、加工性及び液戻り量の点から、体液透過性のトップシート２０の坪量は、１８ｇ／ｍ２以上４０ｇ／ｍ２以下であることが好ましい。体液透過性のトップシート２０の形状としては特に制限はないが、漏れがないように体液を吸収体３０へと誘導するために必要とされる、吸収体３０を覆う形状であればよい。
【００２４】
＜体液不透過性のバックシート＞
体液不透過性のバックシート２１は、吸収体３０が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２５】
強度及び加工性の点から、体液不透過性のバックシート２１の坪量は、１５ｇ／ｍ２以上４０ｇ／ｍ２以下であることが好ましい。また、装着時の蒸れを防止するため、体液不透過性のバックシート２１には、通気性を持たせることが好ましい。体液不透過性のバックシート２１に通気性を備えさせるためには、例えば、基材の樹脂フィルムにフィラーを配合したり、体液不透過性のバックシート２１にエンボス加工を施したりすればよい。なお、フィラーとしては炭酸カルシウムを挙げることができ、その配合方法は、公知の方法を制限なく行うことができる。
【００２６】
＜吸収体＞
吸収体３０は、基材としての吸収性繊維と、高吸収性ポリマー（Ｓｕｐｅｒ  Ａｂｓｏｒｂｅｎｔ  Ｐｏｌｙｍｅｒ、ＳＡＰとも称される）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体３０の吸収性繊維は、吸収性能及び肌触りを損なわないよう、１００ｇ／ｍ２以上８００ｇ／ｍ２以下の坪量とすることが好ましい。また、吸収性能を維持しつつ、吸収性補助パッドの寸法に合わせて効率的に製造できるように、吸収体３０の長手方向の寸法は、１００ｍｍ以上６００ｍｍ以下であることが好ましく、幅方向の寸法は３０ｍｍ以上１５０ｍｍ以下であることが好ましい。
【００２７】
ＳＡＰとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体３０のＳＡＰ量は、吸収性能及び肌触りを損なわないよう、５０ｇ／ｍ２以上５００ｇ／ｍ２以下の坪量とすることが好ましい。また、吸収速度及び吸収量の観点から、吸収体３０の重量に対する高吸収性ポリマーの重量は、１５質量％以上５０質量％以下であることが好ましい。
【００２８】
吸収体３０において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。
【００２９】
＜立体ギャザー＞ 
吸収性物品１の身体側表面には、立体ギャザー（図示しない）が設けられていてもよい。この立体ギャザーは、体液透過性のトップシート２０とともに尿の閉じ込め空間を形成し、尿の漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム及びポリウレタン等からなる、糸状、紐状、平型形状のものを適宜使用することができる。
【００３０】
＜トウからなる繊維集合体＞
第１トウからなる繊維集合体４０、及び第２トウからなる繊維集合体４１の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましい。
【００３１】
また、第１トウからなる繊維集合体４０、及び第２トウからなる繊維集合体４１において、繊維間の絡みが弱いため、絡みを融着して固定させる目的で、バインダーを用いることが好ましい。バインダーとしては、トリアセチン等を用いることができる。
＜トウからなる繊維集合体の吸収性物品への適用＞
【００３２】
図１、図２に示すように、吸収性物品１は、体液透過性のトップシート２０と体液不透過性のバックシート２１と、これらの間に配置され体液透過性のトップシート２０を介して体液を吸収する吸収体３０と、を具備する。
【００３３】
そして、吸収性物品１は、吸収体３０の一端に隣接するとともに吸収性物品１の長手方向の一端の領域に配置された第１トウからなる繊維集合体４０と、吸収体の他端に隣接するとともに吸収性物品１の長手方向の他端の領域に配置された第２トウからなる繊維集合体４１とを備える。ここで、隣接というときは接触する場合も含むが少しの間隔をあけた状態も含む。第１トウからなる繊維集合体４０と第２トウからなる繊維集合体４１とは体液透過性のトップシート２０と体液不透過性のバックシート２１の間に配置されている。
【００３４】
第１トウからなる繊維集合体４０の厚さ、及び第２トウからなる繊維集合体４１の厚さが、吸収体の厚さの８０〜１２０％であることが好ましい。
【００３５】
さらに、体液透過性を向上させるために、体液透過性のトップシート２０の表面にエンボス加工や穿孔加工を施してもよい。これらのエンボス加工や穿孔加工を施すための方法としては、公知の方法を制限なく実施することができる。
【００３６】
これにより、吸収性物品１の長手方向一端、他端領域の体液透過性のトップシート２０と体液不透過性のバックシート２１の間に第１トウからなる繊維集合体４０、及び第２トウからなる繊維集合体４１を備え、更にエンボス加工により細かい略円形の集合体を形成するように表面材と防水材を接合することにより、装着時に活動状態でも違和感や不快感の少ない、快適性に優れた、吸収性物品を提供することができる。
【００３７】
さらに、吸収性物品１の長手方向の一端、長手方向の他端の領域の第１トウからなる繊維集合体４０、及び第２トウからなる繊維集合体４１の厚さが、隣接する領域の吸収体３０の厚さの８０〜１２０％であるので、吸収体３０と第１トウからなる繊維集合体４０、及び第２トウからなる繊維集合体４１の段差が小さくなり装着者の違和感を小さくできる。さらに、段差が小さいので、吸収体３０に溜まった体液が第１トウからなる繊維集合体４０、及び第２トウからなる繊維集合体４１にせき止められるので体液の浸水を防ぐことができる。
【００３８】
吸収性物品１は、長手方向の長さが１００〜６００mm、長手方向と直角に交わる短手方向の幅が３０〜１５０mmである。
【００３９】
これにより、体液を最低限吸収できるとともに個人の体形に応じ大きすぎたり小さすぎたりすることによる違和感や快適性の低下を防ぐことができる。ここで、長さは幅より常に長くなる。
【００４０】
第１トウからなる繊維集合体４０、及び第２トウからなる繊維集合体４１は、無荷重での厚さが１〜１０ｍｍである。
【００４１】
第１トウからなる繊維集合体４０、及び第２トウからなる繊維集合体４１の厚さが薄いと、弾性が小さくなり装着者に違和感を与えるようになる。
【００４２】
一方、第１トウからなる繊維集合体４０、及び第２トウからなる繊維集合体４１の厚さが厚いと、剛性が高くなり、装着者に違和感を与えるようになる。本例では厚さが１〜１０ｍｍであるので装着時の違和感が緩和される。
【００４３】
第１トウからなる繊維集合体４０、及び第２トウからなる繊維集合体４１は、非親水性である。
【００４４】
これにより、吸収体３０に溜まった体液が非親水性の第１トウからなる繊維集合体４０、及び第２トウからなる繊維集合体４１にせき止められるので体液の第１トウからなる繊維集合体４０、及び第２トウからなる繊維集合体４１への浸水を防ぐことができる。換言すれば、体液は吸収体３０に留まるものである。
【００４５】
＜吸収性物品の製造方法＞
吸収性物品１の製造方法としては、特に限定はなく、従来公知の方法を採用することができる。例えば、体液透過性のトップシート２０と体液不透過性のバックシート２１との間に、体液不透過性のバックシート２１側から吸収体３０と第１トウからなる繊維集合体４０、及び第２トウからなる繊維集合体４１を順に配置する。
【００４６】
体液透過性のトップシート２０と体液不透過性のバックシート２１とを一部又は全周に亘ってホットメルト接着剤やヒートエンボス、超音波エンボス、高周波エンボス等を用いて固定し、体液不透過性のバックシート２１の衣類側表面に固定手段を形成する。
【００４７】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４８】
１  吸収性物品
２０  トップシート
２１  バックシート
３０  吸収体
４０  第１トウからなる繊維集合体
４１  第２トウからなる繊維集合体
【図１】
2020116328.tif 000003
【図２】
2020116328.tif 000004